(57)【要約】      （修正有）【課題】容器内に収容したフィンガーフードに埃が付着するのを防ぐことができるのは勿論のこと、手間暇をかけずに簡単に蓋を固定することができると共に、フィンガーフードの熱が容器内に籠るのを防ぐことが可能であるフィンガーフード用容器を提供する。【解決手段】一枚のシートとして連続する前面側周部０１０１、フィンガーフードを載置する底部０１０２、容器側面である左側周部０１０３、同じく容器側面である右側周部０１０４、容器背面である背面側周部０１０５及び容器のフィンガーフード取り出し口０１０７を開閉する蓋部０１０６を有し、背面側周部０１０５とこの背面側周部０１０５から延在する蓋部０１０６との境界を所定の曲率半径の曲線状折り目Ｌｍによって区切るように構成されている。【選択図】図１Ａ
0003226527.tif 000002
【実用新案登録請求の範囲】
【請求項１】
一枚のシートとして連続性のある底部と、側周部と、蓋部とからなるフィンガーフード用容器であって、
前記蓋部は、側周部のうち、背面側周部から延在させたものであり、
背面側周部と蓋部との境界は所定の曲率半径を有する曲線によって区切られ、
内容物を入れることによって背面側周部に対して加えられる容器外方への力による前記曲線の曲率半径を小さくしようとする力で前記蓋部が容器開口に付勢されるように構成されたフィンガーフード用容器。
【請求項２】
一枚のシートは蓋部を除いて略Ｔ字状であり、前面側周部は、Ｔ字縦部を底部から延在させて前面に配置し、背面側周部から連続するＴ字横部を左右から前記配置した前面側周部と重なるように前面に配置した請求項１に記載のフィンガーフード用容器。
【請求項３】
前面側周部には、前面側周部の上端辺からさらに延在して容器開口側に傾倒可能な所定の曲率半径を有する曲線によって区切られた前面蓋部を有する請求項１又は請求項２に記載のフィンガーフード用容器。
【請求項４】
前記蓋部が閉止された状態で生じる容器開口の隙間部分の左右側周部は、最上部が前記蓋部の蓋面よりも上側になるように構成されている請求項１から請求項３のいずれか一に記載のフィンガーフード用容器。
【請求項５】
前記底部は、側周面最低部よりも上側に構成されている請求項１から請求項４のいずれか一に記載のフィンガーフード用容器。
【考案の詳細な説明】
【技術分野】
【０００１】
本件考案は、コンビニエンスストアやファーストフード店などの飲食物販売店において、フライドポテトや唐揚げやコロッケなどのフィンガーフードを販売するのに用いられるフィンガーフード用容器に関する。
【背景技術】
【０００２】
従来において、上記したようなフライドポテトや唐揚げやコロッケなどのフィンガーフードを収納するフィンガーフード用容器は、その大半が紙製の組立式立体容器であり、様々な形態のものが知られている。
【０００３】
例えば、特許文献１に記載されているフィンガーフード用容器は、一枚のシート状の紙からなる容器であり、この一枚の紙を折り曲げて数カ所で糊付けしたりテープで貼り合わせたりするだけで簡単に組立てることができる。
【０００４】
このフィンガーフード用容器は、容器内に収容したフィンガーフードに埃が付着するのを防ぐための蓋を有している。この場合、蓋は容器の背面上端に連続して形成されており、この蓋は、その先端側を容器の開口内に挿入して開口前側上端の壁面に重ね合わせることで、開口を閉塞するようになっている。そして、蓋と開口上端との間にテープを跨って貼り付けることで、開口の閉塞状態を維持するようになっている。
【先行技術文献】
【特許文献】
【０００５】
【特許文献１】実用新案登録３２０３５９９号
【考案の概要】
【考案が解決しようとする課題】
【０００６】
上記した従来のフィンガーフード用容器では、容器の開口を閉塞する蓋を有しているので、埃からフィンガーフードを護ることができる。
しかしながら、容器の開口前側上端の壁面に先端側を重ね合わせた蓋が浮き上がるのを防ぐために、蓋をテープによって固定するようにしていることから、蓋を押さえながらテープを貼る作業に相当の手間暇がかかってしまう。
【０００７】
また、蓋の先端側と容器の前面上端とを密着させて蓋を固定する都合上、容器内に収容したフィンガーフードの熱が容器内に籠ってしまい、その結果、フィンガーフードが蒸れて水っぽくなり兼ねないという問題があり、これを解決することが従来の課題となっていた。
【０００８】
本考案は、上記した従来の課題に着目して成されたもので、容器内に収容したフィンガーフードに埃が付着するのを防ぐことができるのは勿論のこと、手間暇をかけずに簡単に蓋を固定することができると共に、フィンガーフードの熱が容器内に籠るのを防ぐことが可能であるフィンガーフード用容器を提供することを目的としている。
【課題を解決するための手段】
【０００９】
以上の課題を解決するため、第一の考案において、一枚のシートとして連続性のある底部と、側周部と、蓋部とからなるフィンガーフード用容器であって、前記蓋部は、側周部のうち、背面側周部から延在させたものであり、背面側周部と蓋部との境界は所定の曲率半径を有する曲線によって区切られ、内容物を入れることによって背面側周部に対して加えられる容器外方への力による前記曲線の曲率半径を小さくしようとする力で前記蓋部が容器開口に付勢されるように構成されたフィンガーフード用容器を提供する。
【００１０】
また、第二の考案において、一枚のシートは蓋部を除いて略Ｔ字状であり、前面側周部は、Ｔ字縦部を底部から延在させて前面に配置し、背面側周部から連続するＴ字横部を左右から前記配置した前面側周部と重なるように前面に配置したフィンガーフード用容器を提供する。
【００１１】
さらに、第三の考案において、前面側周部には、前面側周部の上端辺からさらに延在して容器開口側に傾倒可能な所定の曲率半径を有する曲線によって区切られた前面蓋部を有するフィンガーフード用容器を提供する。
【００１２】
さらにまた、第四の考案において、前記蓋部が閉止された状態で生じる容器開口の隙間部分の左右側周部は、最上部が前記蓋部の蓋面よりも上側になるように構成されているフィンガーフード用容器を提供する。
【００１３】
さらにまた、第五の考案において、前記底部は、側周面最低部よりも上側に構成されているフィンガーフード用容器を提供する。
【考案の効果】
【００１４】
本件考案によれば、容器内に収容したフィンガーフードに埃が付着するのを防ぐことができるのに加えて、手間暇をかけずに容易に蓋を固定することが可能であると共に、フィンガーフードの熱が容器内に籠るのを防ぐことができるという効果を奏する。
【図面の簡単な説明】
【００１５】
【図１Ａ】実施例１のフィンガーフード用容器の蓋を開けた状態の斜視図
【図１Ｂ】実施例１のシートを折り曲げて形成されるフィンガーフード用容器の展開図
【図１Ｃ】図１Ａのフィンガーフード用容器の底面を説明する部分断面図
【図１Ｄ】図１Ａのフィンガーフード用容器の平面図
【図１Ｅ】図１Ａの蓋を開けたフィンガーフード用容器に内容物を入れた状態の斜視図
【図１Ｆ】図１Ｅのフィンガーフード用容器の平面図
【図１Ｇ】図１Ｅのフィンガーフード用容器の蓋を閉じた状態の斜視図
【図１Ｈ】図１Ｇのフィンガーフード用容器の平面図
【図２Ａ】実施例２のフィンガーフード用容器の蓋を開けた状態の斜視図
【図２Ｂ】図２Ａのフィンガーフード用容器の展開図
【図３Ａ】実施例３のフィンガーフード用容器の蓋を開けた状態の斜視図
【図３Ｂ】図３Ａのフィンガーフード用容器の展開図
【図３Ｃ】図３Ａのフィンガーフード用容器の蓋を閉じた状態の斜視図
【図４Ａ】実施例４のフィンガーフード用容器の蓋を開けた状態の斜視図
【図４Ｂ】図４Ａのフィンガーフード用容器の展開図
【図４Ｃ】図４Ａのフィンガーフード用容器の蓋を閉じた状態の斜視図
【考案を実施するための形態】
【００１６】
以下に本考案の実施例を説明する。実施例１は主に請求項１及び請求項５、実施例２は主に請求項２、実施例３は主に請求項３、実施例４は主に請求項４について説明している。なお、本考案はこれらの実施例に限定されるものではなく、その要旨を逸脱しない範囲において、種々なる態様で実施し得る。
≪実施例１≫
【００１７】
＜概要＞
本実施例のフィンガーフード用容器は、一枚のシートとして連続性する底部と側周部と蓋部を有しており、側周部のうちの背面側周部とこの背面側周部から延在させた蓋部との境界を所定の曲率半径の曲線によって区切っている構成したことを特徴としている。
なお、背面側周部と蓋部とを区切る境界の曲線は、折り曲げを容易にするための加工、例えば、エンボス加工あるいはミシン目加工等を施した折り目である。
【００１８】
本実施例のフィンガーフード用容器では、容器内に内容物を入れると、前面側周部及び背面側周部の双方に互いに離間する方向の容器外方への力が働く。そして、この容器外方への力によって背面側周部が容器外方へ拡がると、蓋部との境界である曲線の曲率半径を小さくしようとする力が蓋部に作用するので、蓋部が下向きに凸の湾曲状に変形して容器開口に付勢されることとなる。
【００１９】
つまり、蓋部が浮き上がることがほとんどないので、蓋部を押さえながらテープを貼る作業が不要なものとなり、手間暇をかけずに容易に蓋部を固定し得ることとなる。
【００２０】
また、本実施例のフィンガーフード用容器では、蓋部を容器開口に付勢することで蓋部を固定するようにしているので、テープを用いて蓋部を固定する場合と比べて、蓋部と容器開口とが密着する部分が少なくなる。
【００２１】
したがって、蓋部と容器開口との間の隙間からフィンガーフードの熱が適度に逃げる分だけ容器内に熱が籠り難くなり、その結果、フィンガーフードが蒸れて水っぽくなることを少なく抑え得ることとなる。
【００２２】
＜構成＞
図１Ａに示すように、本実施例のフィンガーフード用容器０１００は、コンビニエンスストアやファーストフード店などの飲食物販売店で販売されるフライドポテトや唐揚げやコロッケなどのフィンガーフードを収納する容器であって、容器正面である前面側周部０１０１，フィンガーフードを載置する底部０１０２，容器側面である左側周部０１０３，同じく容器側面である右側周部０１０４，容器背面である背面側周部０１０５及び容器のフィンガーフード取り出し口（容器開口）０１０７を開閉する蓋部０１０６を有している。
【００２３】
このフィンガーフード用容器０１００に用いられる紙には、当然のことながらフィンガーフードを保持できるだけの強度（厚みや強さ（こわさ））が求められるほか、フィンガーフードの油分や水分で変質したり、溶けたり、化学反応をおこして有害化したりすることのないような、すなわち、フィンガーフードに変異を来さないような紙質が求められ、例えば、コート・ノーコートボールと言われる板紙を用いることができる。
【００２４】
この際、上記の条件を満たす限り、ビニールやニス等のコーティングを施した紙を用いてもよく、紙のサイズ及び形状は、収納するフィンガーフードの個数や大きさや形状に応じて自由に設計することができる。
【００２５】
このフィンガーフード用容器０１００は、上記の条件を満たす一枚のシート状の紙を折り曲げることによって形成されている。図１Ｂの展開図に示すように、前面側周部０１０１，底面０１０２，背面側周部０１０５及び蓋部０１０６は直列に並べて配置されており、前面側周部０１０１と底面部０１０２、底面部０１０２と背面側周部０１０５、背面側周部０１０５と蓋０１０６は、いずれも折り目Ｌを介して連なっている。
【００２６】
背面側周部０１０５の左側縁には、左面側周部０１０３を構成する左面側周部後構成片０１０３Ｒｒが折り目Ｌを介して連なっており、さらに、この左面側周部後構成片０１０３Ｒｒの左側縁には、左面側周部後構成片０１０３Ｒｒとともに左面側周部０１０３を構成する左面側周部前構成片０１０３Ｒｆが折り目Ｌを介して連なっている。
【００２７】
これと同様に、背面側周部０１０５の右側縁には、右面側周部０１０４を構成する右面側周部後構成片０１０４Ｒｒが折り目Ｌを介して連なっており、さらに、この右面側周部後構成片０１０４Ｒｒの右側縁には、右面側周部後構成片０１０４Ｒｒとともに右面側周部０１０４を構成する右面側周部前構成片０１０４Ｒｆが折り目Ｌを介して連なっている。
【００２８】
一方、前面側周部０１０１の左側縁には、容器の剛性を高めるための左面側周部補強片０１０３Ｆが折り目Ｌを介して連なっており、これと同様に、前面側周部０１０１の右側縁にも、右面側周部補強片０１０４Ｆが折り目Ｌを介して連なっている。
【００２９】
そして、底面部０１０２を間にして前面側周部０１０１及び背面側周部０１０５を互いに対向させた状態において、左面側周部後構成片０１０３Ｒｒ及び左面側周部前構成片０１０３Ｒｆの内側に左面側周部補強片０１０３Ｆを折り込んで、この左面側周部補強片０１０３Ｆと左面側周部前構成片０１０３Ｒｆとを互いに貼り合わせることで左面側周部０１０３を形成し、一方、右面側周部後構成片０１０４Ｒｒ及び右面側周部前構成片０１０４Ｒｆの内側に右面側周部補強片０１０４Ｆを折り込んで、この右面側周部補強片０１０４Ｆと右面側周部前構成片０１０４Ｒｆとを互いに貼り合わせることで右面側周部０１０４を形成するようにしている。
【００３０】
この場合、底面部０１０２の前面側周部０１０１側の３つの領域は図示左から左前折り返し片０１０２Ｔｆｌ，中央前折り返し片０１０２Ｔｆｃ及び右前折り返し片０１０２Ｔｆｒとして形成してあり、これらの前面側周部０１０１側の左前折り返し片０１０２Ｔｆｌ，中央前折り返し片０１０２Ｔｆｃ及び右前折り返し片０１０２Ｔｆｒは、容器組み立て時において、折り目Ｌで左面側周部補強片０１０３Ｆ，前面側周部０１０１及び右面側周部補強片０１０４Ｆの各下端部と重なる方向にそれぞれ折り曲げられる、すなわち、上方に折り曲げられるようになっている。
【００３１】
一方、底面部０１０２の背面側周部０１０５側の３つの領域も図示左から左後折り返し片０１０２Ｔｒｌ，中央後折り返し片０１０２Ｔｒｃ及び右後折り返し片０１０２Ｔｒｒとして形成してあり、これらの背面側周部０１０５側の左後折り返し片０１０２Ｔｒｌ，中央後折り返し片０１０２Ｔｒｃ及び右後折り返し片０１０２Ｔｒｒは、容器組み立て時において、折り目Ｌで左面側周部後構成片０１０３Ｒｒ，背面側周部０１０５及び右面側周部後構成片０１０４Ｒｒの各下端部と重なる方向にそれぞれ折り曲げられる、すなわち、上方に折り曲げられるようになっている。
【００３２】
このように、前面側周部０１０１側の左前折り返し片０１０２Ｔｆｌ，中央前折り返し片０１０２Ｔｆｃ及び右前折り返し片０１０２Ｔｆｒをそれぞれ上方に折り曲げると共に、背面側周部０１０５側の左後折り返し片０１０２Ｔｒｌ，中央後折り返し片０１０２Ｔｒｃ及び右後折り返し片０１０２Ｔｒｒをそれぞれ上方に折り曲げることで、左面側周部補強片０１０３Ｆ，前面側周部０１０１，右面側周部補強片０１０４Ｆ，左面側周部後構成片０１０３Ｒｒ，背面側周部０１０５及び右面側周部後構成片０１０４Ｒｒの各下端で容器を支承するようにしている。
【００３３】
これにより、図１Ｃに部分的に示すように、底面部０１０２の中央部分０１０２Ｃを嵩上げして上げ底として機能するようにしており、例え容器に収容したフィンガーフードの油分や水分が底面部０１０２に浸み出すようなことがあったとしても、店頭の展示台や食卓の載置面Ｄを汚すことがないようにしている。
【００３４】
また、このフィンガーフード用容器０１００では、背面側周部０１０５から延在させた蓋部０１０６と背面側周部０１０５との境界を曲線状折り目Ｌｍ（曲線）によって区切っており、図１Ｄに示すように、この曲線状折り目Ｌｍは、点Ｏを中心とする曲率半径Ｒの円弧である。
【００３５】
このフィンガーフード用容器０１００の前面側周部０１０１及び背面側周部０１０５には、図１Ｅに示すように、容器のフィンガーフード取り出し口０１０７から内容物Ｆを入れた場合に、互いに離間する方向（矢印に示す方向）の容器外方への力が働き、この容器外方への力によって、背面側周部０１０５が容器外方（図１Ｅ右方）へ拡がるのに伴って、図１Ｆにも示すように、点Ｏを中心とする曲率半径ｒの円弧に変化するようになっている。
【００３６】
つまり、容器のフィンガーフード取り出し口０１０７から内容物Ｆを入れて背面側周部０１０５が容器外方へ拡がると、蓋部０１０６との境界である曲線状折り目Ｌｍの曲率半径Ｒを小さくして曲率半径ｒにしようとする力が蓋部０１０６に作用するようになっている。
【００３７】
そして、このフィンガーフード用容器０１００では、上記曲線状折り目Ｌｍが曲率半径ｒの円弧に変化している開いた状態の蓋部０１０６を図１Ｅ太矢印方向に倒すことによって、図１Ｇ，Ｈに示すように、蓋部０１０６を下向きに凸の湾曲状に変形させてフィンガーフード取り出し口０１０７側に付勢した状態で固定するようにしている。
【００３８】
このように、本実施例のフィンガーフード用容器０１００では、蓋部０１０６によるフィンガーフード取り出し口０１０７の閉塞状態において、蓋部０１０６が浮き上がることがほとんどないので、蓋部０１０６を押さえながらテープを貼る作業が不要なものとなり、手間暇をかけずに容易に蓋部０１０６を固定し得ることとなる。
【００３９】
また、本実施例のフィンガーフード用容器０１００では、蓋部０１０６をフィンガーフード取り出し口０１０７側に付勢することで蓋部０１０６を固定するようにしているので、テープを用いて蓋部を固定する場合と比べて、蓋部０１０６とフィンガーフード取り出し口０１０７とが密着する部分が少なくなる。
【００４０】
つまり、蓋部０１０６によるフィンガーフード取り出し口０１０７の閉塞状態を維持しつつ、蓋部０１０６及びフィンガーフード取り出し口０１０７の間にできる隙間からフィンガーフード等の内容物Ｆの熱を容器外に適度に逃がし得るものとなる。
【００４１】
したがって、蓋部０１０６とフィンガーフード取り出し口０１０７との間の隙間から内容物Ｆの熱が適度に逃げる分だけ容器内に熱が籠り難くなり、その結果、内容物Ｆが蒸れて水っぽくなることを少なく抑え得ることとなる
【００４２】
なお、上記した各折り目Ｌ及び曲線状折り目Ｌｍには、折り曲げを容易にするための加工、例えば、エンボス加工あるいはミシン目加工等を施すことが望ましい。
【００４３】
＜効果＞
このように、本実施例のフィンガーフード用容器０１００では、フィンガーフード取り出し口０１０７の閉塞状態において、蓋部０１０６を下向きに凸の湾曲状に変形させてフィンガーフード取り出し口０１０７側に付勢した状態で固定するので、テープを用いずに蓋部０１０６によるフィンガーフード取り出し口０１０７の閉塞状態を維持することができる。その結果、蓋部０１０６を押さえながらテープを貼る作業が不要なものとなり、手間暇をかけずに容易に蓋部０１０６を固定することができる。
【００４４】
また、本実施例のフィンガーフード用容器０１００では、蓋部０１０６をフィンガーフード取り出し口０１０７側に付勢させるだけで固定するようにしているので、テープを用いて蓋部を固定する場合と比べて、蓋部０１０６とフィンガーフード取り出し口０１０７とが密着する部分が少なくなる。
【００４５】
したがって、蓋部０１０６とフィンガーフード取り出し口０１０７との間の隙間からフィンガーフード等の内容物Ｆの熱が適度に逃げる分だけ容器内に熱が籠り難くなり、その結果、内容物Ｆが蒸れて水っぽくなることを少なく抑えることが可能となる。
≪実施例２≫
【００４６】
＜概要＞
本実施例のフィンガーフード用容器は、実施例１記載のフィンガーフード用容器を基本とし、蓋部を除いて略Ｔ字状を成す一枚のシート状の紙におけるＴ字縦部を底部から延在させて前面側周部を前面に配置すると共に、背面側周部から連続するＴ字横部を前面側周部と重なるように左右から前面に配置した構成を特徴としている。
すなわち、本実施例のフィンガーフード用容器では、前面側周部と重なるようにＴ字横部を左右から前面に配置しているので、容器の剛性を高め得ると共にハービル加工（耐油耐水加工）を省略したうで前面側周部におけるフィンガーフードの油分や水分の浸み出しを阻止し得ることとなる。
【００４７】
＜構成＞
図２Ａ，２Ｂに示すように、本実施例のフィンガーフード用容器０２００が、先の実施例のフィンガーフード用容器と相違するところは、Ｔ字横部を構成する左面側周部前構成片０２０３Ｒｆの背面側周部０２０５とは反対側の側縁及び右面側周部前構成片０２０４Ｒｆの背面側周部０２０５とは反対側の側縁に、折り目Ｌを介して同じくＴ字横部を構成する前面側周部補強片０２０１Ｆをそれぞれ連ねた点、並びに、Ｔ字縦部を構成する前面側周部０２０１にこれらの前面側周部補強片０２０１Ｆ，０２０１Ｆをそれぞれ貼り合わせた点にある。
【００４８】
＜効果＞
このように、本実施例のフィンガーフード用容器０２００では、Ｔ字横部を構成する左右の前面側周部補強片０２０１Ｆを前面側周部０２０１と重なるようにしてこの前面側周部０２０１にそれぞれ貼り合わせているので、容器の剛性を高めることができる。
加えて、ハービル加工（耐油耐水加工）を施さなくても、前面側周部０２０１におけるフィンガーフード等の内容物の油分や水分の浸み出しを阻止することが可能である。
≪実施例３≫
【００４９】
＜概要＞
本実施例のフィンガーフード用容器は、実施例２記載のフィンガーフード用容器を基本とし、前面側周部の上端辺からさらに延在する前面蓋部を設け、前面側周部と前面蓋部との境界を所定の曲率半径の曲線によって区切って、前面蓋部を容器開口側に傾倒可能とした構成を特徴としている。
すなわち、本実施例のフィンガーフード用容器では、蓋部による容器開口の閉塞状態をより確実に維持し得ることとなる。
【００５０】
＜構成＞
図３Ａ，３Ｂに示すように、本実施例のフィンガーフード用容器０３００が、先の実施例２のフィンガーフード用容器と相違するところは、前面側周部０３０１の上端辺からさらに延在する前面蓋部０３０８を設けた点、及び、前面側周部０３０１と前面蓋部０３０８との境界を所定の曲率半径の曲線状折り目Ｌｎ（曲線）によって区切って、前面蓋部０３０８をフィンガーフード取り出し口０３０７側に傾倒可能とした点にある。
【００５１】
このフィンガーフード用容器０３００の前面側周部０３０１及び背面側周部０３０５においても、容器のフィンガーフード取り出し口０３０７から内容物を入れた場合には、互いに離間する方向の容器外方への力が働き、この容器外方への力によって、前面側周部０３０１が容器外方（図３Ａ左方）へ拡がるのに伴って、曲線状折り目Ｌｎがより小さい曲率半径の円弧に変化するようになっている。
【００５２】
つまり、容器のフィンガーフード取り出し口０３０７から内容物を入れて前面側周部０３０１が容器外方へ拡がると、前面蓋部０３０８との境界である曲線状折り目Ｌｎの曲率半径を小さくしようとする力が前面蓋部０３０８に作用するようになっている。
【００５３】
そして、このフィンガーフード用容器０３００では、上記曲線状折り目Ｌｎがより小さい曲率半径の円弧に変化している開いた状態の前面蓋部０３０８をフィンガーフード取り出し口０３０７側に倒すことによって、図３Ｃに示すように、下向きに凸の湾曲状に変形させて、既にフィンガーフード取り出し口０３０７を閉塞している蓋部０３０６に重ね合わせて付勢した状態で固定するようにしている。
【００５４】
＜効果＞
このように、本実施例のフィンガーフード用容器０３００では、蓋部０３０６によるフィンガーフード取り出し口０３０７の閉塞状態において、前面蓋部０３０８を蓋部０３０６に重ね合わせて付勢した状態で固定するようにしているので、蓋部０３０６が浮き上がるのを確実に防ぐことができる。
≪実施例４≫
【００５５】
＜概要＞
本実施例のフィンガーフード用容器は、実施例３記載のフィンガーフード用容器を基本とし、蓋部で容器開口を閉塞した状態において、蓋部と容器開口との間に生じる隙間部分の左右の側周部の最上部が蓋部の蓋面よりも上側になるようにしたことを特徴としている。
すなわち、本実施例のフィンガーフード用容器では、容器開口を閉塞した状態において、蓋部と容器開口との間の隙間部分から容器内へ埃が侵入するのを少なく抑えつつ、フィンガーフード等の内容物の熱を容器外に適度に逃がし得るものとなる。
【００５６】
したがって、蓋部と容器開口との間の隙間部分から内容物の熱が適度に逃げる分だけ容器内に熱が籠り難くなり、その結果、埃の侵入を防いだうえで内容物が蒸れて水っぽくなることを少なく抑え得ることとなる。
【００５７】
＜構成＞
図４Ａ，４Ｂに示すように、本実施例のフィンガーフード用容器０４００が、先の実施例３のフィンガーフード用容器と相違するところは、背面側周部０４０５の左側縁に連なる左面側周部後構成片０４０３Ｒｒの最上部に後突片０４０９Ｒを設けると共に背面側周部０４０５の右側縁に連なる右面側周部後構成片０４０４Ｒｒの最上部にも後突片０４０９Ｒを設けた点、及び、前面側周部０４０１の左側縁に連なる左面側周部補強片０４０３Ｆの最上部に前突片０４０９Ｆを設けると共に前面側周部０４０１の右側縁に連なる右面側周部補強片０４０４Ｆの最上部にも前突片０４０９Ｆを設けた点にある。
【００５８】
つまり、本実施例のフィンガーフード用容器０４００では、図４Ｃに示すように、蓋部０４０６及び前面蓋部０４０８でフィンガーフード取り出し口０４０７を閉塞した状態において、蓋部０４０６とフィンガーフード取り出し口０４０７との間に生じる隙間部分の左右の側周部０４０３，０４０４の最上部が蓋部０４０６の蓋面よりも上側になるようにしている。
【００５９】
すなわち、左側周部０４０３を構成する左面側周部後構成片０４０３Ｒｒ及び左面側周部補強片０４０３Ｆの各最上部に位置する後突片０４０９Ｒ及び前突片０４０９Ｆが蓋部０４０６の蓋面よりも上側に位置し、これと同じく、右側周部０４０４を構成する右面側周部後構成片０４０４Ｒｒ及び右面側周部補強片０４０４Ｆの各最上部に位置する後突片０４０９Ｒ及び前突片０４０９Ｆが蓋部０４０６の蓋面よりも上側に位置するようにしている。
【００６０】
＜効果＞
このように、本実施例のフィンガーフード用容器０４００では、蓋部０４０６によるフィンガーフード取り出し口０４０７の閉塞状態において、蓋部０４０６とフィンガーフード取り出し口０４０７との間の隙間部分から容器内へ埃が侵入するのを後突片０４０９Ｒ及び前突片０４０９Ｆによって少なく抑える反面、フィンガーフード等の内容物の熱を容器外に適度に逃がし得るものとなる。
【００６１】
したがって、蓋部０４０６とフィンガーフード取り出し口０４０７との間の隙間部分から内容物の熱が適度に逃げる分だけ容器内に熱が籠り難くなり、その結果、埃の侵入を防いだうえで内容物が蒸れて水っぽくなることを少なく抑えることが可能となる。
【符号の説明】
【００６２】
０１００  フィンガーフード用容器
０１０１  前面側周部
０１０５  背面側周部
０１０６  蓋部
０１０７  フィンガーフード取り出し口（容器開口）
Ｌｍ      曲線状折り目（曲線）
【図１Ａ】
0003226527.tif 000003
【図１Ｂ】
0003226527.tif 000004
【図１Ｃ】
0003226527.tif 000005
【図１Ｄ】
0003226527.tif 000006
【図１Ｅ】
0003226527.tif 000007
【図１Ｆ】
0003226527.tif 000008
【図１Ｇ】
0003226527.tif 000009
【図１Ｈ】
0003226527.tif 000010
【図２Ａ】
0003226527.tif 000011
【図２Ｂ】
0003226527.tif 000012
【図３Ａ】
0003226527.tif 000013
【図３Ｂ】
0003226527.tif 000014
【図３Ｃ】
0003226527.tif 000015
【図４Ａ】
0003226527.tif 000016
【図４Ｂ】
0003226527.tif 000017
【図４Ｃ】
0003226527.tif 000018